(57)【要約】【課題】複数の収納部を有し、各収納部の錠装置毎に対応する鍵の認証情報を確認して鍵による錠装置の操作を可能としながら、構成を簡素化できる物品保管装置を提供する。【解決手段】各収納部13の錠装置を操作する鍵に、認証情報を有する非接触ＩＣチップを設ける。複数の収納部13で共通に設けたアンテナユニット51により、各鍵の非接触ＩＣチップと通信して認証情報を取得する。錠装置毎に、錠装置を操作不能な状態とするロック機構を設ける。ロック機構は、アンテナユニット51が錠装置に対応する鍵の非接触ＩＣチップの認証情報を取得した場合に、錠装置を操作可能な状態とする。【選択図】図１
2012021316.tif 000002
【特許請求の範囲】
【請求項１】
複数の収納部と、
これら収納部毎に設けた開閉可能な扉と、
前記収納部毎に設けられ、鍵操作により前記扉を閉鎖状態に施錠する錠装置と、
これら錠装置毎に操作可能に設けられ、前記錠装置毎に対応する認証情報を有する非接触ＩＣチップが一体に設けられた鍵と、
前記複数の収納部で共通に設けられ、前記鍵の非接触ＩＣチップと通信して認証情報を取得する通信部と、
前記錠装置毎に設けられ、前記錠装置を操作不能な状態とし、前記通信部が前記錠装置に対応する前記鍵の非接触ＩＣチップの認証情報を取得した場合には前記錠装置を操作可能な状態とするロック機構と
を具備していることを特徴とする物品保管装置。
【請求項２】
前記錠装置は、前記鍵が挿入される鍵穴を有し、
前記鍵が前記錠装置の鍵穴に挿入されていることを検知する検知手段を具備している
ことを特徴とする請求項１記載の物品保管装置。
【請求項３】
前記ロック機構は、前記通信部が前記錠装置に対応する前記鍵の非接触ＩＣチップの認証情報を取得し、かつ、前記検知手段が前記鍵の挿入を検知した場合に、前記錠装置を操作可能とする
ことを特徴とする請求項２記載の物品保管装置。
【発明の詳細な説明】
【技術分野】
【０００１】
本発明は、複数の収納部を有する物品保管装置に関する。
【背景技術】
【０００２】
従来、自動販売機の錠装置において、ソレノイド式の電気錠と機械式の錠前ユニットとの組み合わせからなり、鍵を錠前ユニットに近付けることにより鍵に埋め込まれたタグチップの認証情報を錠前ユニットに設けたアンテナからリーダーユニットに読み込み、リーダーユニットで照合対比して正規の認証情報と判別されたときに電気錠のロックを解除し、鍵で錠前ユニットを操作可能とした錠装置の構成が知られている（例えば、特許文献１参照。）。
【先行技術文献】
【特許文献】
【０００３】
【特許文献１】特許第２８８３６０５号公報
【発明の概要】
【発明が解決しようとする課題】
【０００４】
しかしながら、複数の収納部を有するコインロッカーなどの物品保管装置に、前記従来の錠装置を適用した場合には、各収納部毎にアンテナを設置する必要があり、物品保管装置の構成が複雑になる。
【０００５】
本発明は、このような点に鑑みなされたもので、複数の収納部を有し、各収納部の錠装置毎に対応する鍵の認証情報を確認して鍵による錠装置の操作を可能としながら、構成を簡素化できる物品保管装置を提供することを目的とする。
【課題を解決するための手段】
【０００６】
請求項１記載の物品保管装置は、複数の収納部と、これら収納部毎に設けた開閉可能な扉と、前記収納部毎に設けられ、鍵操作により前記扉を閉鎖状態に施錠する錠装置と、これら錠装置毎に操作可能に設けられ、前記錠装置毎に対応する認証情報を有する非接触ＩＣチップが一体に設けられた鍵と、前記複数の収納部で共通に設けられ、前記鍵の非接触ＩＣチップと通信して認証情報を取得する通信部と、前記錠装置毎に設けられ、前記錠装置を操作不能な状態とし、前記通信部が前記錠装置に対応する前記鍵の非接触ＩＣチップの認証情報を取得した場合には前記錠装置を操作可能な状態とするロック機構とを具備しているものである。
【０００７】
請求項２記載の物品保管装置は、請求項１記載の物品保管装置において、前記錠装置は、前記鍵が挿入される鍵穴を有し、前記鍵が前記錠装置の鍵穴に挿入されていることを検知する検知手段を具備しているものである。
【０００８】
請求項３記載の物品保管装置は、請求項２記載の物品保管装置において、前記ロック機構は、前記通信部が前記錠装置に対応する前記鍵の非接触ＩＣチップの認証情報を取得し、かつ、前記検知手段が前記鍵の挿入を検知した場合に、前記錠装置を操作可能とするものである。
【発明の効果】
【０００９】
請求項１記載の物品保管装置によれば、複数の収納部に共通の通信部で、各収納部の錠装置に用いられる鍵の非接触ＩＣチップとそれぞれ通信して認証情報を取得できるため、構成を簡素化できる。
【００１０】
請求項２記載の物品保管装置によれば、請求項１記載の物品保管装置の効果に加えて、鍵が錠装置の鍵穴に挿入されていることを検知手段で検知するため、通信部で認証情報を取得した鍵が、利用者が所持している使用鍵か、錠装置の鍵穴に挿入されていて物品保管装置側が保持している未使用鍵かを判別することができる。
【００１１】
請求項３記載の物品保管装置によれば、請求項２記載の物品保管装置の効果に加えて、ロック機構により、通信部が錠装置に対応する鍵の非接触ＩＣチップの認証情報を取得し、かつ、検知手段が鍵の挿入を検知した場合に、錠装置を操作可能とするため、対応しない鍵による錠装置の解錠を確実に防止できる。
【図面の簡単な説明】
【００１２】
【図１】本発明の一実施の形態を示す物品保管装置の正面図である。
【図２】同上物品保管装置に用いる鍵の側面図である。
【図３】同上物品保管装置に用いる錠装置の断面図である。
【図４】同上物品保管装置の図３のＡ−Ａ視に示す断面図である。
【図５】同上物品保管装置の各構成の動作状況の一覧を示す表である。
【発明を実施するための形態】
【００１３】
以下、本発明の一実施の形態を、図面を参照して説明する。
【００１４】
図１は、コインロッカーである物品保管装置11の正面図を示す。
【００１５】
この物品保管装置11は、本体12を有し、この本体12にはそれぞれ本体12の前面に開口されていて預け入れる荷物などを収納する複数の収納部13が設けられ、これら各収納部13の前面に開閉可能な扉14が設けられ、各収納部13の側部に主に利用者が荷物など預け入れや取り出しの際に操作する操作部15が設けられている。なお、収納部13の容量は複数種類ある。
【００１６】
各操作部15には、図１に図示していないが、利用者が硬貨を投入する硬貨投入口、この硬貨投入口に投入された異種の硬貨などを利用者に返却する硬貨返却口、料金と投入金額と使用時間などを表示する表示部、荷物などの預け入れや取り出しの際に利用者用の鍵によって操作される錠装置（これら鍵および錠装置は図２および図３において図示して説明する）、および管理者用の鍵によって操作される錠装置などが設置されている。
【００１７】
また、この物品保管装置11では、各収納部13の錠装置毎に対応する利用者用の鍵の認証情報を確認してその鍵による錠装置の操作を可能とする認証システムが用いられている。
【００１８】
図２は、利用者用の鍵18の側面図を示す。この鍵18は、錠装置に挿入される鍵部19、および鍵18を操作する胴体部20を有し、この胴体部20にＩＣタグとも呼ばれる非接触ＩＣチップ（ＲＦＩＤ：Radio Frequency Identification）21が埋め込まれている。この非接触ＩＣチップ21は、認証情報として固有のＩＤを有し、例えば、外部から所定の電波を受けることによってＩＤを電波で送信するパッシブタグタイプ、あるいは電池の電源によってＩＤを電波で送信するアクティブタグタイプが用いられる。
【００１９】
図３は、鍵18によって操作される利用者用の錠装置24の断面図を示す。この錠装置24は、前面に対向する鍵穴25を有する内筒26およびこの内筒26を回動可能に収容した外筒27を有するシリンダー錠28を有し、外筒27が操作部15に固定されている。内筒26の後部には、鍵穴25に連通する挿通孔29が貫通して設けられている。
【００２０】
そして、錠装置24は、対応する鍵18の鍵部19が内筒26の鍵穴25に挿入されることにより、外筒27に対して内筒26の回動が許容され、鍵18の操作によって鍵18と内筒26とが一体に扉14を開閉可能とする解錠位置と扉14を閉鎖状態に施錠する施錠位置との間で回動可能とする。ただし、錠装置24は、鍵18および内筒26が解錠位置があるときに、基本料金分の硬貨が投入されなければ、鍵18の操作を不可とし、基本料金分の硬貨が投入されることにより、鍵18の施錠位置への回動および抜き取りを許容する図示しない施錠機構を備えている。
【００２１】
また、図３および図４に示すように、錠装置24は、この錠装置24が施錠状態にあるときに錠装置24を操作不能な状態とするロック機構31を備えている。このロック機構31は、錠装置24の内筒26の後端に嵌め込まれてナット32で固定されたロック板33を有し、このロック板33の周縁部の１箇所にロック溝34が形成されている。ロック板33の上方の近傍にはロックレバー35の長手方向の中間部が軸受部材36によって揺動可能に軸支され、このロックレバー35の一端がロック板33のロック溝34に係脱可能としている。ロックレバー35の他端はソレノイド37のプランジャ38に連結され、ソレノイド37のプランジャ38にはプランジャ38を突出方向に付勢するスプリング39が装着されている。
【００２２】
そして、ソレノイド37に通電しない非励磁時には、スプリング39の付勢によってソレノイド37のプランジャ38が突出し、ロックレバー35の一端がロック板33のロック溝34に係合し、錠装置24の内筒26の回動を阻止する。ソレノイド37への通電による励磁時には、スプリング39の付勢に抗してソレノイド37のプランジャ38が後退し、ロックレバー35の一端がロック板33のロック溝34から外れ、錠装置24の内筒26の回動を許容する。
【００２３】
また、錠装置24は、鍵18が錠装置24の鍵穴25に挿入されていることを検知する検知手段42を備えている。この検知手段42は、検知ピン43を有し、この検知ピン43の一端が錠装置24の内筒26の後部に設けられた挿通孔29に挿入され、他端側が支持部材44で支持され、軸方向にスライド可能としている。検知ピン43の中間部には径大部45が形成され、この径大部45が内筒26の後端に当接する状態で検知ピン43の一端が鍵穴25内に突出され、径大部45と支持部材44との間に装着されたスプリング46によって検知ピン43の一端が鍵穴25内に突出する方向に付勢されている。
【００２４】
検知ピン43の他端の近傍位置には、検知ピン43を介して鍵18が錠装置24の鍵穴25に挿入されていることを検知する検知スイッチ47が配置されている。この検知スイッチ47は、鍵18が鍵穴25に挿入され、スプリング46の付勢に抗して検知ピン43が後方へ押動されている状態でオンし、また、鍵18が鍵穴25から抜き取られ、スプリング46の付勢で検知ピン43の一端が鍵穴25内に突出された状態でオフする。
【００２５】
また、図１に示すように、本体12の上部には、物品保管装置11を制御する集中制御装置である制御部50、および複数の収納部13の鍵18の非接触ＩＣチップ21とそれぞれ通信して認証情報であるＩＤを取得する読取装置である通信部としてのアンテナユニット51が設置され、これら制御部50とアンテナユニット51とが配線52で電気的に接続されている。
【００２６】
アンテナユニット51は、複数の収納部13に共通で、電波を送受信するアンテナ53を有しており、各収納部13の錠装置24に挿入されている鍵18、および荷物などを預け入れたり取り出したりする利用者が持つ鍵18が本体12の前面側にあるので、各鍵18との通信が良好に行われるように、本体12の前面の上部中央に配置されている。アンテナユニット51は、鍵18の非接触ＩＣチップ21がパッシブタグタイプの場合、所定の電波を定期的に送信し、この所定の電波を受けた鍵18の非接触ＩＣチップ21が電波で送信してくるＩＤを受信し、また、鍵18の非接触ＩＣチップ21がアクティブタグタイプの場合、鍵18の非接触ＩＣチップ21から定期的に電波で送信してくるＩＤを受信する。アンテナユニット51と鍵18の非接触ＩＣチップ21とで電波の送受信が可能な通信可能範囲は、各収納部13の錠装置24の位置や、荷物などの取り出しのために利用者が立ち寄った際の本体12の前面側の所定範囲などが含まれる。
【００２７】
制御部50は、予め登録される収納部13とこの収納部13に対応する鍵18の非接触ＩＣチップ21の固有のＩＤとの対応関係を記憶する記憶手段を備えている。
【００２８】
そして、制御部50は、次のような機能を有している。
【００２９】
アンテナユニット51で取得する各鍵18の非接触ＩＣチップ21のＩＤが制御部50の記憶手段に予め登録されているＩＤと一致するか認証する認証手段の機能。
【００３０】
アンテナユニット51で非接触ＩＣチップ21のＩＤが取得された各鍵18のうち、対応する錠装置24の検知手段42が挿入を検知している鍵18は未使用鍵と判別し、対応する錠装置24の検知手段42が挿入を検知していない鍵18は利用者が持つ使用鍵と判別する判別手段の機能。
【００３１】
錠装置24が施錠状態にある収納部13において、アンテナユニット51がその錠装置24に対応する鍵18の非接触ＩＣチップ21の認証情報を取得できない場合、および、検知手段42が鍵18の挿入を検知しない場合に、対応する錠装置24のロック機構31で錠装置24を操作不能な状態とし、また、錠装置24が解錠状態にある収納部13において、アンテナユニット51が錠装置24に対応する鍵18の非接触ＩＣチップ21の認証情報を取得し、かつ、検知手段42が鍵18の挿入を検知している場合に、対応する錠装置24のロック機構31によるロックを解除させて対応する錠装置24を操作可能とする制御手段の機能。
【００３２】
次に、物品保管装置11の作用を説明する。
【００３３】
まず、収納部13とこの収納部13に対応する鍵18の非接触ＩＣチップ21のＩＤとの対応関係を登録するには、例えば制御部50に接続したパソコンによって制御部50を登録モードとし、各収納部13毎に、登録する鍵18をアンテナユニット51のアンテナ53にかざして非接触ＩＣチップ21のＩＤを入力するか、鍵18の非接触ＩＣチップ21のＩＤの番号などをパソコンで入力し、登録する。
【００３４】
また、物品保管装置11の動作を、図５に示す各構成の同状況の一覧を示す表を参照して説明する。
【００３５】
アンテナユニット51で通信可能範囲に存在する全ての鍵18の非接触ＩＣチップ21のＩＤを取得し、この取得した鍵18の非接触ＩＣチップ21のＩＤが制御部50の記憶手段に予め登録されているＩＤと一致するか制御部50で認証する。
【００３６】
認証が得られた鍵18については、各鍵18に対応する収納部13の錠装置24の検知スイッチ47の検知状態から挿入が検知されている鍵18か挿入が検知されていない鍵18かを確認し、挿入が検知されていない鍵18は利用者が所持している使用鍵であると判別し、挿入が検知されている鍵18は物品保管装置11側が保持している未使用鍵であると判別する。
【００３７】
そして、解錠待機状態にある収納部13においては、鍵18が錠装置24に挿入され、錠装置24が解錠状態にあり、扉14を開閉して荷物などの預け入れが可能となっている。
【００３８】
この解錠待機状態では、アンテナユニット51で取得する鍵18の非接触ＩＣチップ21のＩＤを認証（ＯＫ）しており、かつ、鍵18の挿入を検知している検知スイッチ47がオン（ＯＮ）しているため、ロック機構31のソレノイド37がオンし、ロックレバー35がロック板33のロック溝34から外れ、ロック機構31による錠装置24のロックを解除して錠装置24を操作可能としている。ただし、基本料金分の硬貨が投入されなければ、錠装置24の施錠機構により鍵18の回動や抜き取りなどの操作は不可となっている。
【００３９】
また、荷物などの預け入れ時には、利用者が収納部13の扉14を開け、荷物などを収納部13に入れ、扉14を閉じ、基本料金を投入することにより、錠装置24の鍵18の操作が可能となり、鍵18を解除位置から施錠位置に回し、錠装置24から引き抜く。
【００４０】
この預け入れ操作の際において、鍵18を解除位置から施錠位置に回すことにより、錠装置24が扉14を閉鎖状態で施錠する。
【００４１】
鍵18を錠装置24から抜き取ることにより、鍵18の挿入を検知しなくなった検知スイッチ47がオフ（ＯＦＦ）に切り換わるため、ロック機構31のソレノイド37がオフし、ロックレバー35がロック板33のロック溝34に係合し、ロック機構31によって錠装置24を操作不能とする。
【００４２】
鍵18を持った利用者がアンテナユニット51との通信可能範囲から立ち去ると、対応する鍵18の非接触ＩＣチップ21のＩＤの認証がとれなくなるが（ＮＧ）、ロック機構31によって錠装置24を操作不能とする状態を維持する。
【００４３】
また、対応する鍵18の非接触ＩＣチップ21のＩＤの認証がとれなくなった使用中の収納部13の錠装置24に偽造鍵が挿入された場合、使用中の鍵18が認証されていないにもかかわらず、錠装置24の検知スイッチ47がオンするが、その錠装置24の検知スイッチ47がオンした収納部13に対応する鍵18の非接触ＩＣチップ21のＩＤを認証しないため、その収納部13のロック機構31によるロックは解除せず、その錠装置24を操作不能な状態に保持する。そのため、偽造鍵による不正な解錠を確実に防止できる。この場合、使用中の鍵18が認証されていないにもかかわらず、検知スイッチ47がオンした錠装置24については、制御部50の記憶手段に記憶し、この記憶手段の記憶情報に基に、必要に応じて錠装置24を交換するようにしてもよい。
【００４４】
また、荷物などの取り出し時には、利用者が荷物を預け入れた収納部13の錠装置24に鍵18を挿入して錠位置から解錠位置に回し、解錠された扉14を開け、収納部13から荷物を取り出し、扉14を閉める。
【００４５】
この取り出し操作の際において、利用者が物品保管装置11に立ち寄り、利用者の持つ鍵18がアンテナユニット51との通信可能範囲に入ると、アンテナユニット51で取得する各鍵18の非接触ＩＣチップ21のＩＤが制御部50の記憶手段に予め登録されているＩＤと一致するか認証する。
【００４６】
鍵18を収納部13の錠装置24に挿入することにより、この錠装置24の検知スイッチ47がオンする。非接触ＩＣチップ21のＩＤが認証された鍵18と錠装置24の検知スイッチ47がオンした収納部13との対応関係が正しければ、ロック機構31のソレノイド37がオンし、ロックレバー35がロック板33のロック溝34から外れ、ロック機構31による錠装置24のロックを解除して錠装置24を操作可能とする。
【００４７】
なお、鍵18を荷物などを預け入れた収納部13ではない別の使用中の収納部13の錠装置24に挿入した場合には、その錠装置24の検知スイッチ47がオンするが、非接触ＩＣチップ21のＩＤが認証された鍵18と錠装置24の検知スイッチ47がオンした収納部13との対応関係が正しくないため、その収納部13のロック機構31によるロックは解除されず、その錠装置24を操作不能な状態に保持する。
【００４８】
非接触ＩＣチップ21のＩＤが認証された鍵18と錠装置24の検知スイッチ47がオンした収納部13との対応関係が正しく、ロック機構31による錠装置24のロックを解除して錠装置24を操作可能となれば、鍵18を施錠位置から解錠位置に回すことにより、錠装置24が扉14を解錠する。
【００４９】
このように、複数の収納部13に共通のアンテナユニット51で、各収納部13の錠装置24に用いられる鍵18の非接触ＩＣチップ21とそれぞれ通信してＩＤを取得できるため、構成を簡素化できる。
【００５０】
また、鍵18が錠装置24の鍵穴25に挿入されていることを検知手段42で検知するため、アンテナユニット51でＩＤを取得した鍵18が、利用者が所持している使用鍵か、錠装置24の鍵穴25に挿入されていて物品保管装置11側が保持している未使用鍵かを判別することができる。
【００５１】
また、ロック機構31により、アンテナユニット51が錠装置24に対応する鍵18の非接触ＩＣチップ21のＩＤを取得し、かつ、検知手段42が鍵18の挿入を検知した場合に、錠装置24を操作可能とするため、対応しない鍵による錠装置24の解錠を確実に防止できる。
【００５２】
なお、アンテナユニット51は、全ての収納部13に共通として１つだけ設置する例に限らず、例えば、縦に並ぶ収納部13毎に共通として１つずつ設置する例など、所定数あるいは所定領域の複数の収納部13毎に対応して１つずつ設置してもよい。
【００５３】
また、物品保管装置は、コインロッカーに限らず、キャビネットや書類庫などの物品を保管する各種の物品保管装置に適用できる。
【符号の説明】
【００５４】
11    物品保管装置
13    収納部
14    扉
18    鍵
21    非接触ＩＣチップ
24    錠装置
25    鍵穴
31    ロック機構
42    検知手段
51    通信部としてのアンテナユニット
【図１】
2012021316.tif 000003
【図２】
2012021316.tif 000004
【図３】
2012021316.tif 000005
【図４】
2012021316.tif 000006
【図５】
2012021316.tif 000007